(57)【要約】【課題】生成された不織布ウェブの幅を、簡潔で迅速で費用効率が高くなるように適応可能にするメルトブロー用ヘッドを提供する。【解決手段】メルトブロー用ヘッドは、ノズルアセンブリ６のノズルバー６ｃに配列される直線状の１列のノズル孔１７を有し、紡糸幅は可変であり、ノズルアセンブリ６または少なくともその一部分が交換可能であり、紡糸幅にかかわりなく、メルトブロー用ヘッドにある１つまたは複数の分配バー１の各溶融物供給管５が分配ブロック６ｂにあるメルトパイプ７に連結され、紡糸幅によって、供給されるべきノズル孔１７と関連付けられるこれらのブローエア分配孔１１のみが、分配ブロック６ｂにあるブローエアパイプ８を介して吹込み口１２に連結され、必要に応じて、他のブローエア分配孔１１が閉止される。【選択図】図３
2007131994.tif 000002
【特許請求の範囲】
【請求項１】
ノズルアセンブリ（６）のノズルバー（６ｃ）に配列される直線状の１列のノズル孔（１７）を有するメルトブロー用ヘッドであって、
前記ノズル孔（１７）は、溶融物から形成される継目のないフィラメントを生成する働きをし、
前記ノズル孔（１７）は、ノズル孔（１７）、および、１つ以上の分配バー（１）からの溶融物供給管（２，５）を介して、かつノズルアセンブリ（６）の分配ブロック（６ｂ）にあるメルトパイプ（７）を介して、ノズルバー（６ｃ）にある溶融物を供給されることになるこれらのノズル孔（１７）に溶融物が供給されるノズル孔（１７）に対して、ある角度でブローエアを送るための、長手方向のスロットの形の、２つのスロットプレートの吹込み口（１２）と関連付けられる、メルトブロー用ヘッドであって、
ブローエア供給要素（１５）のブローエア供給管（１０）を通って、ブローエア分配孔（１１）を介して、吹込み口（１２）はブローエアを供給される、メルトブロー用ヘッドであって、
メルトブロー用ヘッドの紡糸幅は可変であり、
ノズルアセンブリ（６）または少なくともノズルアセンブリの部分が交換可能であり、
紡糸幅にかかわりなく、メルトブロー用ヘッドにある１つまたは複数の分配バー（１）の各溶融物供給管（５）が分配ブロック（６ｂ）にあるメルトパイプ（７）に連結され、
紡糸幅によって、供給されるべきノズル孔（１７）と関連付けられるこれらのブローエア分配孔（１１）のみが、分配ブロックに（６ｂ）あるブローエアパイプ（８）を介して吹込み口（１２）に連結され、必要に応じて、他のブローエア分配孔（１１）が閉止される
ことを特徴とする、メルトブロー用ヘッド。
【請求項２】
紡糸幅にかかわりなく、メルトブロー用ヘッドにある１つまたは複数の分配バー（１）の各溶融物供給管（５）が、ノズルアセンブリ（６）にある溶融物交差連結部（１３）を介して、分配ブロック（６ｂ）にあるメルトパイプ（７）に連結されることを特徴とする、請求項１に記載のメルトブロー用ヘッド。
【請求項３】
紡糸幅によって、供給されるべきノズル孔（１７）と関連付けられるこれらのブローエア分配孔（１１）のみが、ノズルアセンブリ（６）にあるブローエア交差連結部（１４）を介し、分配ブロックに（６ｂ）あるブローエアパイプ（８）を介して吹込み口（１２）に連結され、必要に応じて、他のブローエア分配孔（１１）が閉止されることを特徴とする、請求項１または２に記載のメルトブロー用ヘッド。
【請求項４】
ノズルアセンブリ（６）が、溶融物交差連結部（１３）を備える交換可能な頂部（６ａ）を有し、溶融物交差連結部（１３）を介して、メルトブロー用ヘッドにある１つまたは複数の分配バー（１）の各溶融物供給管（５）が、分配ブロック（６ｂ）にある対応するメルトパイプ（７）に連結され、したがって、溶融物を供給されることになるノズルバー（６ｃ）にあるこれらのノズル孔（１７）に連結されることを特徴とする、請求項２または３に記載のメルトブロー用ヘッド。
【請求項５】
交換可能な頂部（６ａ）が、実質的に水平方向のブローエア交差連結部（１４）を備え、ブローエア交差連結部（１４）を介して、供給されるべきノズル孔（１７）と関連付けられるこれらのブローエア分配孔（１１）のみが、分配ブロック（６ｂ）にあるブローエアパイプ（８）に連結され、したがって吹込み口（１２）に連結されることを特徴とする、請求項４に記載のメルトブロー用ヘッド。
【請求項６】
他のブローエア分配孔（１１）がノズルアセンブリ（６）によって、より詳細には交換
可能な頂部（６ａ）によって閉止されることを特徴とする、請求項１から５のいずれかに記載のメルトブロー用ヘッド。
【請求項７】
他のブローエア分配孔（１１）が分配ブロック（６ｂ）によって閉止されることを特徴とする、請求項１から６のいずれかに記載のメルトブロー用ヘッド。
【請求項８】
ノズルアセンブリ（６）の交換可能な頂部（６ａ）および分配ブロック（６ｂ）が互いに一体であることを特徴とする、請求項４から７のいずれかに記載のメルトブロー用ヘッド。
【発明の詳細な説明】
【技術分野】
【０００１】
本発明は、ノズルアセンブリのノズルバーに配列される直線状の１列のノズル孔を有するメルトブロー用ヘッドに関し、前記ノズル孔は溶融物から形成される継目のないフィラメントを生成する働きをし、前記ノズル孔は、ノズル孔、および、１つ以上の分配バーからの溶融物供給管を介して、かつノズルアセンブリの分配ブロックにあるメルトパイプを介して、ノズルバーにある溶融物を供給されることになるこれらのノズル孔に溶融物が供給されるノズル孔に対して、ある角度でブローエアを送るための、長手方向のスロットの形２つのスロットプレートの吹込み口と関連付けられ、ブローエア供給要素のブローエア供給管を通って、ブローエア分配孔を介して、吹込み口はブローエアを供給される。
【背景技術】
【０００２】
このようなメルトブロー用ヘッドは、独国特許第１０３５８１７０Ｂ３号明細書に記載および提示されている。周知のメルトブロー用ヘッドにおいて、側方の吸気口を介し、かつ着脱可能なコネクタを介するのと同じく、個々のノズル孔に溶融物を分配する分配器に対する実質的に垂直方向への方向切換手段を介して、溶融物供給管はメルトパイプから通じ、ノズルアセンブリはスロットプレートに対して定められた位置に固定され、スロットプレートからほぼ垂直方向に着脱可能である。前記刊行物において、ブローエア供給要素およびノズルアセンブリの間にある空間を介して、ブローエアが供給される。周知のメルトブロー用ヘッドの紡糸幅の可変性は、上述の特許明細書において述べられていない。
【０００３】
欧州特許出願公開第１４８６５９１Ａ１号から周知であることは、フィラメントを生成するための、より詳細には、熱可塑性材料から生成するための装置であって、このフィラメントは紡糸口プレートの紡糸ノズルの開口部から噴出する。供給されたプラスチック溶融液を分配するために、分配装置が設けられる。少なくとも１つの交換可能な分配プレートが、分配装置の下流側に配置される。交換可能な紡糸口プレートが、分配プレートの下流側に配置される。交換可能な分配プレートにある分配開口部によって形成される紡糸幅は、分配装置によって設けられる紡糸幅よりもより小さいか、または大きいものである。少なくとも１つの交換可能な分配プレートによって、分配装置の紡糸幅は、最終的な紡糸幅に減少または増大可能である。それゆえに、分配プレートを交換することによって、所望の最終的な紡糸幅が調節可能である。異なる紡糸幅によってブローエアの付加を供給および／または適応することは、上述の文献において述べられていない。
【０００４】
一般に、従来の意味のスパンボンド不織布、さらにはマイクロ繊維不織布の両方を含み、メルトブローンシステムで製造されるメルトスパン不織布の連続生産は、所定の有効幅または紡糸幅を有するシステムによって達成され、このようなシステムには、いかなる定められた標準もない。しかしながら、特定の産業標準規格がある。たとえば、典型的な紡糸幅は、１６００ｍｍ、２６００ｍｍ、３２００ｍｍ、および４２００ｍｍである。第２の加工ステップにおいて、対応するように生成された不織布は、ついで最終的な幅にまとめられるが、通常、これは、紡糸幅が十分に利用できない場合であって、それの結果として、最悪の場合にはロール幅の最高５０％が無駄になる。
【０００５】
欧州特許出願公開第１４８６５９１Ａ１号（上記参照）から周知のように、交換可能な分配プレートを介して紡糸幅を調整する場合、プラスチック溶融液は、下流側の減少または増加した幅と同様に、交換可能な紡糸口プレートにもわたって分配される。しかし、このように幅を狭くしたり広げたりする場合、予想されるべきことは、幅を狭くしたりまたは広くする両方で、プラスチック溶融液が紡糸幅全体にわたって均等に分配されず、かつ紡糸口プレートの孔領域内で、異なるプラスチック溶融液が分配されることである。異な
るプラスチック溶融液が分配されることにより、有効幅にわたって最終生成物の面積比重量に差異が現れる可能性があるのと同様に、溶融物を過度または不十分に供給するためにフィラメントの裂傷が起こる可能性があり、このことが生産性において消極的な影響を及ぼす可能性がある。
【特許文献１】独国特許第１０３５８１７０Ｂ３号明細書
【特許文献２】欧州特許出願公開第１４８６５９１Ａ１号
【発明の開示】
【発明が解決しようとする課題】
【０００６】
効率的に紡糸幅を変動したい場合、たとえば、生成されることになっている不織布の製造方向に対してある角度でメルトブロー用ヘッドを位置決めすることによって、プラスチック溶融液およびブローエアと同様に水および電力のための供給管路を、対応して曲げられるように連結する必要がある。
【０００７】
さらにまた、生成された不織布ウェブの有効幅を調整する上述の両方の可能性によって、熱いブローエアの送り幅を紡糸幅に適応させることがまた必要となるのは、熱い圧縮空気の形の前記ブローエアが、製造時に極めて大きなコスト要因となるからである。それゆえに、コストを削減するために、熱いブローエアの消費を減少させることが望ましい。しかしながら、周知の従来技術（上記参照）において、この主題は、全く言及されておらず、また、（たとえば、全システムまたは少なくともその部分が、ある角度で位置決めされる場合）、この主題には、関連するブローエアの供給を完全に変換／交換する必要のある複雑な測定が必要となる。
【０００８】
それゆえに、本発明の目的は、従来技術の問題点を解決し、特に生成された不織布ウェブの幅を、簡潔で迅速で費用効率が高くなるように適応可能にするメルトブロー用ヘッドを提供することであり、特に、必要とされる熱いブローエアの量を圧力下で減少することができる。
【課題を解決するための手段】
【０００９】
本発明の目的は、請求項１による特徴を有するメルトブロー用ヘッドによって達成される。
【００１０】
本発明の好ましい実施形態は、付属の従属項に定められる。
本発明によるメルトブロー用ヘッドは、ノズルアセンブリのノズルバーに配列される直線状の１列のノズル孔を有するノズルアセンブリを備え、前記ノズル孔は溶融物から形成される継目のないフィラメントを生成する働きをする。ノズル孔は、ノズル孔に対してある角度でブローエアを送るための、長手方向のスロットの形の、２つのスロットプレートの吹込み口と関連付けられる。１つ以上の分配バーからの溶融物供給管を介し、かつ、ノズルアセンブリの分配ブロックにあるメルトパイプを介して、溶融物は溶融物を供給することになっているノズルバーのこれらのノズル孔に供給される。吹込み口は、ブローエア供給要素のブローエア供給管を通って、ブローエア分配孔を介して、ブローエアを供給される。本発明によると、ノズルアセンブリまたは少なくとも個々のノズルアセンブリの部分（たとえば、ノズルバー、および／または、分配ブロック、および／または、交換可能な頂部）が交換可能であり、紡糸幅にかかわりなく、メルトブロー用ヘッドにある１つまたは複数の分配バーの各溶融物供給管が分配ブロックにあるメルトパイプの１つに連結され、紡糸幅によって、溶融物を供給されるべきノズル孔と関連付けられるこれらのブローエア分配孔のみが、分配ブロックにあるブローエアパイプを介して吹込み口に連結され、必要に応じて、他のブローエア分配孔が閉止されることにおいて、メルトブロー用ヘッドの紡糸幅は可変である。それゆえに、本発明によると、メルトブロー用ヘッドの紡糸幅は可変であり、交差連結部、メルトパイプ、および、ノズルアセンブリまたはノズルアセン
ブリの分配ブロックにある関連するブローエアパイプを介して、紡糸幅に適応して溶融物およびブローエアが供給され、単にノズルアセンブリだけまたは少なくともその部分を交換するだけでよい。したがって、ブローエアの供給全体の変換、特にブローエア供給要素の交換が回避される。必要とされないあらゆるブローエア分配孔は、ノズルアセンブリまたはその部分によって閉止される。メルトブロー用ヘッドにある１つまたは複数の分配バーの各溶融物供給管が、ノズルアセンブリまたはノズルアセンブリの分配ブロックにある対応するメルトパイプに連結されるので、溶融物の分配を可変的にできなくなる。それは、メルトブロー用ヘッドの幅または紡糸幅の個々の領域において溶融物を過剰にまたは不十分に供給するからである。本発明によるメルトブロー用ヘッドは、簡潔で、費用効率が優れていて、迅速に実施される幅の適応を提供し、また、ブローエアの供給の幅の対応する適応を提供する。このことによって、圧力下での熱いブローエアの消費を削減することが可能となる。
【００１１】
本発明の好ましい実施形態によると、紡糸幅にかかわりなく、メルトブロー用ヘッドにある１つまたは複数の分配バーの各溶融物供給管が、ノズルアセンブリにある、好ましくは実質的に水平方向の溶融物交差連結部を介して、分配ブロックにあるメルトパイプに連結される。
【００１２】
本発明の好ましい実施形態によると、紡糸幅によって、供給されるべきノズル孔と関連付けられるこれらのブローエア分配孔のみが、ノズルアセンブリにあるブローエア交差連結部を介し、分配ブロックにあるブローエアパイプを介して吹込み口に連結され、必要に応じて、他のブローエア分配孔が閉止される。
【００１３】
ノズルアセンブリまたはノズルアセンブリの分配ブロックにメルトパイプを垂直方向に送るのが好ましく、それぞれの溶融物交差連結部を実質的に水平方向に送り、必要とされる紡糸幅によって、ノズル孔の直線状の列の幅範囲に垂直、または、実質的に垂直に、またはある角度で、送るのが好ましい。
【００１４】
本発明の特に好ましい実施形態によると、メルトブロー用ヘッドは、溶融物交差連結部を具備する交換可能な頂部を有するノズルアセンブリを備え、溶融物交差連結部を介して、メルトブロー用ヘッドにある１つまたは複数の分配バーの各溶融物供給管が、分配ブロックまたはノズルアセンブリにある対応するメルトパイプに連結され、したがって、溶融物を供給することになるノズルアセンブリのノズルバーにあるこれらのノズル孔に連結される。結果的に、すでに前記交換可能な頂部を簡潔に交換したことにより、必要に応じて紡糸幅を減少することが可能となり、１つまたは複数の分配バーの（常に間隔を置かれている）溶融物供給管からの対応する溶融物交差連結部は、いくぶん実質的に水平方向にある角度で収束し、したがって、溶融物供給管を分配ブロックにあるメルトパイプに連結し、必要に応じて、メルトパイプはまた、互いにより近接して位置する。
【００１５】
本発明によると、ノズルアセンブリの交換可能な頂部が、実質的に水平方向のブローエア交差連結部を備えることが特に好ましく、ブローエア交差連結部を介して供給されるべきノズル孔と関連付けられる、これらのブローエア分配孔のみが分配ブロックにあるブローエアパイプに連結され、したがって吹込み口に連結される。ついで、より幅の狭い紡糸幅を必要としない他のブローエア分配孔が、交換可能な頂部または頂部に対応する領域によって、閉止されるのが好ましい。
【００１６】
それゆえに、本発明の好ましい実施形態によると、対応する好ましい交換可能な頂部は、特に簡潔に選択され、所望の紡糸幅を調整可能である。
【００１７】
特に好ましい実施形態において、より幅の狭い紡糸幅を必要としない他のブローエア分
配孔が、ノズルアセンブリによって、より詳細には交換可能な頂部によって閉止される。
【００１８】
特に好ましい実施形態において、より幅の狭い紡糸幅を必要としない他のブローエア分配孔が、ノズルアセンブリの分配ブロックによって閉止されることもまた可能である。
【００１９】
特に好ましいのは、交換可能な頂部およびノズルアセンブリの分配ブロックが互いに一体である、本発明によるメルトブロー用ヘッドの実施形態であり、その結果、前記の部分を簡潔に交換することによって、本発明の上述の利点を達成することができる。
【発明を実施するための最良の形態】
【００２０】
以下に、図面に示される例示的な実施形態を参照しつつ、本発明を説明する。
図１は、本発明によるノズルアセンブリ６の第１の実施形態を有する、本発明によるメルトブロー用ヘッドの概略図を示す。メルトブロー用ヘッドは、プラスチック溶融液を供給するための溶融物供給管２および５と、メルトブロー用ヘッドにある溶融物を移動させる働きをする溶融ポンプ４とを中に設ける分配バー１を備える。図１において、８つの溶融物供給管５が分配バー１に存在する。本発明によると、図１に示されるメルトブロー用ヘッドの紡糸幅は、ノズルアセンブリ６または少なくともノズルアセンブリ６部分が交換可能であることにおいて、可変である。メルトブロー用ヘッドにある各８つの溶融物供給管５は、それぞれの溶融物交差連結部１３を介して、分配ブロック６ｂにあるそれぞれのメルトパイプ７に流体工学的に連結される。メルトパイプ７に連結される溶融物分配器１６を介して、ついで、供給されたプラスチック溶融液がノズル孔１７を通ってフィラメント９の形で運ばれる。
【００２１】
図２は、図１によるメルトブロー用ヘッドを示すが、この場合、説明のためにノズルアセンブリ６の部分は削除されている。しかしながら、ブローエア供給管１０を有するブローエア供給要素１５は、示されている。さらにまた、本発明によるメルトブロー用ヘッドにおけるブローエアの送りが、破線によって概略的に示される。ブローエアは、ブローエア交差連結部１４を介して各吹込み口１２に供給され、そこで噴出される。
【００２２】
図３は、図１および図２で示される実施形態において使用されるようなノズルアセンブリ６の具体例を、部分断面図で示すものである。ノズルアセンブリ６は、分配ブロック６ｂと、ノズル孔１７を含むノズルバー６ｃと、交換可能な頂部６ａとを備える。交換可能な頂部６ａにある溶融物交差連結部１３、および、分配ブロック６ｂにあるメルトパイプ７を介して、溶融物が溶融物分配器１６を介してノズルアセンブリ６のノズルバー６ｃにある個々のノズル孔に供給される。ノズル孔部１７と平行に関連付けられて、ブローエアパイプ８が分配ブロック６ｂに設けられ、交換可能な頂部６ａにあるブローエア交差連結部１４を介して、（図３において視認できない）ブローエア分配孔を介して分配ブロック６ｂにあるブローエアパイプ８につながるブローエア供給管に、前記ブローエアパイプ８が連結される。
【００２３】
図４は、図３の線Ｂ−Ｂに沿った断面を示す。図４において理解することができるのは、溶融物が、交換可能な頂部６ａにおいて実質的に水平方向に延びる溶融物交差連結部１３を介して、分配ブロック６ｂにある垂直に延びるメルトパイプ７、および、ノズルアセンブリ６のノズルバー６ｃにあるノズル孔１７に供給されることである。本発明による交換可能なノズルアセンブリ６は、２つのブローエア供給要素１５の間に嵌合される。各ブローエア供給素子１５は、中央のブローエア供給管１０を有し、ブローエア分配孔１１を介して、ノズルアセンブリ６または本発明の場合においては交換可能な頂部６ａにあるブローエア交差連結部１４を介して、そして分配ブロック６ｂにあるブローエアパイプ８を介して、この中央のブローエア供給管１０がノズルバー６ｃおよび２つの空気バー６ｄの間に設けられる吹込み口１２にブローエアを供給する。図１から図４において示される実
施形態によると、ブローエア分配孔１１はすべて、ブローエア交差連結部１４を介して、ブローエアパイプ８に連結される。
【００２４】
図５は、本発明のさらなる実施形態によるノズルアセンブリ６を有するメルトブロー用ヘッドを示す。図５において、同一の参照符号は、前述の図における参照符号と同一の要素を特定し、図１のようにより詳細には、これらの要素を繰り返し説明しないため、対応する説明の部分を参照する。
【００２５】
図１において示される実施形態と対比する。図５における実施形態は、メルトブロー用ヘッドのより小さい紡糸幅を有するノズルアセンブリ６を備え、交換可能なノズルアセンブリ６において、溶融物交差連結部１３がノズル孔１７の直線状の列に対してある角度で配置される。それゆえに、この場合、図１から図４に示される紡糸幅と比較して減少した紡糸幅であるにもかかわらず、分配バー１にあるすべての溶融物供給管５が、ノズルアセンブリ６の分配ブロック６ｂにあるすべてのメルトパイプ７に連結される。
【００２６】
図６は、本発明のノズルアセンブリ６の第２の実施形態による、（破線矢印によって示される）ブローエアの送りを示す。ブローエアは、交換されていないかまたは交換されることになっていないブローエア供給要素１５を介して供給されるが、本発明で示される、より幅が狭い紡糸幅を必要としないこれらのブローエア分配孔１１が、ノズルアセンブリ６またはノズルアセンブリ６の部分によって閉止されているため、その結果、溶融物を供給されるこれらのノズル孔１７の領域内および対応して減少する紡糸幅にわたってのみ、ノズルアセンブリ６にある対応するブローエア交差連結部１４を介して、ブローエアが供給される。
【００２７】
図７は、ノズルアセンブリ６を破断図で示し、図３において示されたノズルアセンブリと対比すると、前記ノズルアセンブリ６は、減少した紡糸幅を有する。明らかに理解できるのは、紡糸幅の領域内にはブローエア交差連結部１４しか存在しないことである。このことを、図８および図９における説明によってさらに示す。
【００２８】
図８は、図７の線Ａ−Ａに沿った断面を示し、図９は、図７の線Ｂ−Ｂに沿った断面を示す。
【００２９】
図８から理解できるように、示された第２の実施形態における交換可能なノズルアセンブリ６の、より幅の狭い紡糸幅を必要としないこれらのブローエア分配孔１１が、ノズルアセンブリ６の頂部６ａによって閉止される。図９から明らかなように、減少した紡糸幅の領域において、溶融物およびブローエアは、より幅の広い紡糸幅を有する示された第１の実施形態において記載されるように供給される。ここまでは、図９および図４における断面の説明は同一である。
【００３０】
図１０は、本発明の交換可能なノズルアセンブリ６のさらなる実施形態を断面図で示す。図１０に示される実施形態によると、ノズルアセンブリの分配ブロックおよび頂部は、互いに一体である。ブローエア交差連結部１４は、頂部にではなく、対応するように一体的に形成されるノズルアセンブリの分配ブロックの領域内に配置される。図１０における断面図は、減少した紡糸幅の領域内を示し、図９の断面図に類似していて、図４の減少していない紡糸幅および対応する断面図に対応するものである。
【００３１】
全般的に、すべての図は単に本発明の対応する実施形態を概略的に示すのみであり、図における同一の参照符号は、同一の要素を特定することに注意されたい。
【図面の簡単な説明】
【００３２】
【図１】本発明の実施形態によるノズルアセンブリを有するメルトブロー用ヘッドの概略図を示す。
【図２】本発明の実施形態によるブローエア供給要素およびノズルアセンブリを有するメルトブロー用ヘッドの概略図を示す。
【図３】図１および図２の本発明における実施形態のノズルアセンブリの概略部分破断正面図を示す。
【図４】図３の線Ｂ−Ｂに沿った断面を示す。
【図５】本発明のさらなる実施形態によるノズルアセンブリを有するメルトブロー用ヘッドの概略図を示す。
【図６】本発明のさらなる実施形態によるブローエア供給要素およびノズルアセンブリを有するメルトブロー用ヘッドの概略図を示す。
【図７】図５および図６による本発明における実施形態のノズルアセンブリの概略部分破断正面図を示す。
【図８】図７の線Ａ−Ａに沿った断面を示す。
【図９】図７の線Ｂ−Ｂに沿った断面を示す。
【図１０】本発明によるノズルアセンブリのさらに好ましい実施形態の断面図をさらに示す。
【符号の説明】
【００３３】
１  分配バー
２，５  溶融物供給管
４  溶融ポンプ
６  ノズルアセンブリ
６ａ  交換可能な頂部
６ｂ  分配ブロック
６ｃ  ノズルバー
６ｄ  空気バー
７  メルトパイプ
８  ブローエアパイプ
９  フィラメント
１０  ブローエア供給管
１１  ブローエア分配孔
１２  吹込み口
１３  溶融物交差連結部
１４  ブローエア交差連結部
１５  ブローエア供給素子
１６  溶融物分配器
１７  ノズル孔
【図１】
2007131994.tif 000003
【図２】
2007131994.tif 000004
【図３】
2007131994.tif 000005
【図４】
2007131994.tif 000006
【図５】
2007131994.tif 000007
【図６】
2007131994.tif 000008
【図７】
2007131994.tif 000009
【図８】
2007131994.tif 000010
【図９】
2007131994.tif 000011
【図１０】
2007131994.tif 000012